(57)【特許請求の範囲】
【請求項１】
エアーを利用して化粧液を噴霧するエアノズル式化粧用具の宣伝用品であって、
人間の頭部を模した展示用のマネキン頭部を備え、
前記マネキン頭部の顔面に、その左右いずれか一方にエアノズルでもって化粧液を噴霧した第１化粧状態が形成されると共に、左右他方に手または化粧スポンジによる化粧液の塗布を行った第２化粧状態が形成されている、
ことを特徴とするエアノズル式化粧用具の宣伝用品。
【請求項２】
請求項１において、
前記マネキン頭部が、透明な合成樹脂によって形成されている、ことを特徴とするエアノズル式化粧用具の宣伝用品。
【請求項３】
請求項１または請求項２において、
前記第１化粧状態および第２化粧状態がそれぞれ、正面視したときの前記マネキン頭部の顎の下端から額の上端に渡る範囲で形成されている、ことを特徴とするエアノズル式化粧用具の宣伝用品。
【請求項４】
請求項１ないし請求項３のいずれか１項において、
前記化粧液がファンデーション用とされている、ことを特徴とするエアノズル式化粧用具の宣伝用品。
【請求項５】
請求項１ないし請求項４のいずれか１項において、
前記マネキン頭部が、首部を介して載置用の台座に連結されている、ことを特徴とするエアノズル式化粧用具の宣伝用品。
【請求項６】
エアーを利用して化粧液を噴霧するエアノズル式化粧用具の宣伝方法であって、
人間の頭部を模したマネキン頭部の顔面に、その左右いずれか一方にエアノズルでもって化粧液を噴霧した第１化粧状態を形成する共に、左右他方に手やスポンジによる化粧液の塗布を行った第２化粧状態を形成する第１行程と、
前記第１化粧状態および前記第２化粧状態が形成されたマネキン頭部を展示する第２行程と、
を備えていることを特徴とするエアノズル式化粧用具の宣伝方法。
【請求項７】
エアーを利用して化粧液を噴霧するエアノズル式化粧用具の宣伝方法であって、
人間の頭部を模したマネキン頭部を展示する展示行程と、
前記マネキン頭部の顔面に、その左右いずれか一方にエアノズルでもって化粧液を噴霧した第１化粧状態を形成すると共に、左右他方に手やスポンジによる化粧液の塗布を行った第２化粧状態を形成する化粧行程と、
を備え、
前記化粧行程では、前記展示行程で展示されている前記マネキン頭部に対して同時進行的に前記第１化粧状態の形成と前記第２化粧状態の形成とが行われる、
ことを特徴とするエアノズル式化粧用具の宣伝方法。
【請求項８】
請求項６または請求項７において、
前記マネキン頭部が、透明な合成樹脂によって形成されている、ことを特徴とするエアノズル式化粧用具の宣伝方法。
【請求項９】
請求項６ないし請求項８のいずれか１項において、
前記第１化粧状態および第２化粧状態がそれぞれ、正面視したときの前記マネキン頭部の顎の下端から額の上端に渡る範囲で形成される、ことを特徴とするエアノズル式化粧用具の宣伝方法。
【発明の詳細な説明】
【技術分野】
【０００１】
本発明は、エアノズル式化粧用具の宣伝用品及び宣伝方法に関するものである。
【背景技術】
【０００２】
化粧用具としてのエアノズルを利用して化粧を行うことが広く普及しつつある。特に、俳優や歌手等、見栄えが要求される芸能人の世界にあっては、エアノズルによる化粧を行うことが多くなっている。エアノズルによる化粧は、化粧液（例えばファンデーション）を、エアーを利用して顔面に噴霧するもので、顔面の凹凸にかかわらず均一な厚さに化粧液を付着させることができ、短時間で出来映えが極めて優れた化粧を行うことが可能となる。特許文献１には、化粧用エアノズルを、ノズルを交換するだけで、化粧用と洗顔用とに使い分けできるようにしたものが開示されている。
【先行技術文献】
【特許文献】
【０００３】
【特許文献１】実用新案登録第３１５９０１９号公報
【発明の概要】
【発明が解決しようとする課題】
【０００４】
エアノズルを用いた化粧の利点は、一般人であっても一度使用すれば即座に理解されるものである。しかしながら、単にカタログ等でもって化粧用エアノズルの利点をアピールしても、どのような優れた化粧が最終的に得られるのかがユーザに伝わりにくいものである。
【０００５】
本発明は以上のような事情を勘案してなされたもので、その目的は、エアノズル式化粧用具を用いた化粧の利点を容易かつ明確にアピールできるようにしたエアノズル式化粧用具の宣伝用品及び宣伝方法を提供することにある。
【課題を解決するための手段】
【０００６】
前記目的を達成するため、本発明におけるエアノズル式化粧用具の宣伝用品にあっては次のような解決手法を採択してある。すなわち、請求項１に記載のように、
エアーを利用して化粧液を噴霧するエアノズル式化粧用具の宣伝用品であって、
人間の頭部を模した展示用のマネキン頭部を備え、
前記マネキン頭部の顔面に、その左右いずれか一方にエアノズルでもって化粧液を噴霧した第１化粧状態が形成されると共に、左右他方に手または化粧スポンジによる化粧液の塗布を行った第２化粧状態が形成されている、
ようにしてある。
【０００７】
上記解決手法によれば、マネキン頭部に施された第１化粧状態の出来映えと第２化粧状態の出来映えとを左右で比較するだけでその相違を容易に知ることができ、エアノズルにって化粧を行った第１化粧状態の方が、第２化粧状態よりも圧倒的に優れた出来映えであることが容易に理解されることになる。また、マネキン頭部の顔面という顔への化粧を行うので、実際の使用に極めて近い状態で上記相違をより明確に印象付けることができ、エアノズル式化粧用具の宣伝用品として極めて好適である。
【０００８】
上記解決手法を前提とした好ましい態様は、特許請求の範囲における請求項２以下に記載のとおりである。すなわち、  前記マネキン頭部が、透明な合成樹脂によって形成されている、ようにしてある（請求項２対応）。この場合、エアノズルを用いた第１化粧状態では、マネキン頭部の透明が顔面が均一な厚さで覆われることが容易に理解される一方、第２化粧状態ではどうしても化粧の厚さにむらができて、マネキン頭部の透明部分が透けてみえる部分と透明部分が隠れた部分とが混在してしまうことがより明確に認識でき、第１化粧状態の出来映えの優れたことをより一層明確に知らしめることができ、宣伝効果のより高いものとなる。
【０００９】
前記第１化粧状態および第２化粧状態がそれぞれ、正面視したときの前記マネキン頭部の顎の下端から額の上端に渡る範囲で形成されている、
ようにしてある（請求項３対応）。この場合、マネキン頭部の顔面のみならず、上下方向に長い範囲で各化粧状態を施して、第１化粧状態と第２化粧状態との違いをより一層明確にする上で好ましいものとなる。
【００１０】
前記化粧液がファンデーション用とされている、ようにしてある（請求項４対応）。この場合、化粧液として、エアノズル式化粧用具によって化粧を行う場合にもっとも使用頻度の高いファンデーションを利用することにより、エアノズル式化粧用具の宣伝として好ましいものとなる。
【００１１】
前記マネキン頭部が、首部を介して載置用の台座に連結されている、ようにしてある（請求項５対応）。この場合、台座を利用して、第１化粧状態と第２化粧状態とが施されたマネキン頭部を安定して載置、展示することができ、また必要最小限の大きさとして、展示品として大型になることを防止する上で好ましいものとなる。
【００１２】
前記目的を達成するため、本発明に置けるエアノズル式化粧用具の宣伝方法にあっては次のような第１の解決手法を採択してある。すなわち、特許請求の範囲における請求項６に記載のように
エアーを利用して化粧液を噴霧するエアノズル式化粧用具の宣伝方法であって、
人間の頭部を模したマネキン頭部の顔面に、その左右いずれか一方にエアノズルでもって化粧液を噴霧した第１化粧状態を形成する共に、左右他方に手やスポンジによる化粧液の塗布を行った第２化粧状態を形成する第１行程と、
前記第１化粧状態および前記第２化粧状態が形成されたマネキン頭部を展示する第２行程と、
を備えているようにしてある。上記解決手法によれば、請求項１に対応した効果と同様の効果を得ることができる。
【００１３】
前記目的を達成するため、本発明におけるエアノズル式化粧用具の宣伝方法にあっては次のような第２の解決手法を採択してある。すなわち、特許請求の範囲における請求項７に記載のように、
エアーを利用して化粧液を噴霧するエアノズル式化粧用具の宣伝方法であって、
人間の頭部を模したマネキン頭部を展示する展示行程と、
前記マネキン頭部の顔面に、その左右いずれか一方にエアノズルでもって化粧液を噴霧した第１化粧状態を形成すると共に、左右他方に手やスポンジによる化粧液の塗布を行った第２化粧状態を形成する化粧行程と、
を備え、
前記化粧行程では、前記展示行程で展示されている前記マネキン頭部に対して同時進行的に前記第１化粧状態の形成と前記第２化粧状態の形成とが行われる、
ようにしてある（請求項７対応）。この場合、エアノズル式化粧用具の購入対象者の観察下で、第１化粧状態の形成と第２化粧状態の形成とを同時進行的に行って、化粧によって顔面が変化されていく様子を経時的かつ同時比較的に知らせることができ、エアノズル式化粧用具の宣伝として極めてインパクトの強いものとなり、購買意欲を高める上で好ましいものとなる。
【００１４】
上記第１及び第２の解決手法を前提とした好ましい態様は、特許請求の範囲における請求項８以下に記載のとおりである。すなわち
前記マネキン頭部が、透明な合成樹脂によって形成されている、ようにしてある（請求項８対応）。この場合、請求項２に対応した効果を得ることができる。
【００１５】
前記第１化粧状態および第２化粧状態がそれぞれ、正面視したときの前記マネキン頭部の顎の下端から額の上端に渡る範囲で形成される、ようにしてある（請求項９対応）。この場合、請求項３に対応した効果を得ることができる。
【発明の効果】
【００１６】
本発明によれば、エアノズル式化粧用具の宣伝を効果的に行うことができる。
【図面の簡単な説明】
【００１７】
【図１】本発明の一実施形態を示すもので、エアノズルを用いた化粧と、化粧スポンジを使って化粧するときの様子を示す正面図。
【図２】エアノズルによる第１化粧状態と化粧スポンジによる第２化粧状態とが形成された後の状態を示す正面図。
【発明を実施するための形態】
【００１８】
図１において、１は人間の頭部を模したマネキン頭部である。このマネキン頭部１は、台座２に対して、首部３を介して連結、保持されている。台座２を展示用机等に載置しておくことにより、マネキン頭部１が正面を向いた安定姿勢状態で展示可能とされる。
【００１９】
マネキン頭部１は、台座２，首部３を含めて、透明な合成樹脂による一体成形品とされている。そして、マネキン頭部１は、化粧を行うことが一般的な女性の頭部を模したものとなっており、顔部５と頭蓋部６とを有するが、頭蓋部６には髪の毛が無くて、表面が円滑面とされている（いわゆる坊主頭となっていて、人間の髪の毛を剃った後の状態に相当）。
【００２０】
図１一点鎖線で示す境界線αは、マネキン頭部１の左右中心位置を通って上下方向に伸びており、マネキン頭部１を左右に分ける境界線となる。なお、境界線αは実際には目視できないものである。マネキン頭部１の正面（顔面を含む面）のうち、境界線αよりも向かって左側（マネキン頭部１から見れば右側）が、化粧用具としてのエアノズル１０によって第１化粧状態が形成される第１領域Ｘ１とされる。また、マネキン頭部１の正面（顔面を含む面）のうち、境界線αよりも向かって右側（マネキン頭部１から見れば左側）が、従来の手または化粧スポンジ２０によって第２化粧状態が形成される第２領域Ｘ２とされる。
【００２１】
エアノズル１０によって化粧された第１化粧状態と、化粧スポンジ２０によって化粧された第２化粧状態とが、図２に示される。図２は、第１化粧状態の形成に際しては、エアノズルとして商品名ハリウッドエアー（登録商標）を用い、化粧液としてファンデーション液を用いてある。また、第２化粧状態の形成に際しては、エアノズル１０で用いた化粧液と同じファンデーション液を用いてある。なお、図２は、透明合成樹脂によって形成されたマネキン頭部１に対して第１化粧状態と第２化粧状態とを形成して、これをほぼ正面からカラー撮影したものをグレースケールで示したもので、やや斜めから撮影した関係上マネキン頭部１の右側にやや陰影が示されるが、実際に目視した際にはこの陰影は見えないものである。
【００２２】
図２から明らかなように、図２左側に形成された第１化粧状態では、厚さが均一なために、極めて滑らかに化粧液が付着した状態となっていることが容易に理解される。これに対して、化粧スポンジ２０を用いた第２化粧状態では、どうしても厚さが不均一となって、化粧むらできてしまうことが容易に理解される。特に、マネキン頭部１を透明部材で形成してあるために、第２化粧状態では、化粧のりが悪い部分は内側の透明部材が透けて見えることになり、化粧むらが生じていることがより容易に理解される。第１化粧状態と第２化粧状態とが形成されたマネキン頭部１を、エアノズル１０の販売店や販売用ウエブサイトに展示（表示）しておくことにより、エアノズル１０の販売が促進されることになる。
【００２３】
図２に示すような第１化粧状態と第２化粧状態とが施されたマネキン頭部１を、購買対象者が立ち寄る箇所に展示したり、ウエブサイトに展示（表示）しておくことにより、エアノズル１０による化粧が極めて良好に化粧できる、ということが明確に理解されて、宣伝効果の高いものとなる。勿論、図２の左側部分がエアノズル１０による化粧であり、右側部分が化粧スポンジでの化粧であるということが、マネキン頭部１の近傍に配設した説明看板等に表示される。
【００２４】
購買対象者の監視下で、例えば立ち会いの下であるいは動画配信により、第１化粧状態と第２化粧状態とが形成される過程を示すことにより、より宣伝効果を向上させることができる。すなわち、化粧前のマネキン頭部１に対して、同時進行的に第１化粧状態と第２化粧状態とを形成していくことにより、化粧されていく様子が購買対象者により明確に伝わることになる。
【００２５】
より具体的には、例えば、エアノズル１０による第１化粧状態の形成開始と同時に、化粧スポンジによる化粧を開始する。エアノズル１０による化粧は、例えば９０秒程度という極めて短い時間でもって、第１化粧状態が形成される（化粧完成）。これに対して、第１化粧状態の完成時点では、第２化粧状態の形成は十分にできてなく、しかもその後第２化粧状態の形成を続けて第２化粧状態の完成となった際の出来映えも、第１化粧状態の出来映えにははるかに及ばないものとなる。
【００２６】
このような、第１化粧状態の形成と第２化粧状態の形成とを同時進行的に行うことにより、まず、エアノズル１０による化粧は極めて短時間ですむ、ということが容易に理解される。また、化粧完成後の出来映えも、図２に示すような大きな相違を生じて、エアノズル１０を用いた化粧の出来映えが極めて優れたものである、ということも容易に理解される。
【００２７】
以上実施形態について説明したが、本発明は、実施形態に限定されるものではなく、特許請求の範囲の記載された範囲において適宜の変更が可能であり、例えば次のような場合をも含むものである。第１化粧状態と第２化粧状態との形成は、マネキン頭部１の顔面部分のみであってもよい。化粧液としては、ファンデーション以外のものであってもよい。全身のマネキン人形を利用してもよい。マネキン頭部１の唇には、あらかじめ口紅による化粧を行って、女性が実際に顔面等に化粧する際の状況になるべく近づけた状態で第１化粧状態と第２化粧状態とを形成するようにしてもよい。マネキン頭部１が髪の毛を有するものであってもよい。第１化粧状態と第２化粧状態との左右の形成位置は、実施形態とは逆の関係としてもよい。マネキン頭部１の材質は、合成樹脂に限らないものであり、例えば石膏等適宜の材質とすることができる。マネキン頭部１は透明に限らず、例えば黒色等適宜の色を有するものであってもよく、この場合、使用する化粧液としてはマネキン頭部１の色とは大きく相違する色を用いるのが、第１化粧状態と第２化粧状態とを明確に認識させる上で好ましいものとなる。勿論、本発明の目的は、明記されたものに限らず、実質的に好ましいあるいは利点として表現されたものを提供することをも暗黙的に含むものである。
【産業上の利用可能性】
【００２８】
本発明は、エアノズル式化粧用具の宣伝として好適である。
【符号の説明】
【００２９】
１：マネキン頭部
２：台座
３：組部
１０：エアノズル
２０：化粧スポンジ
α：境界線
【図１】
0006006498.tif 000002
【図２】
0006006498.tif 000003